(57)【要約】【課題】  ユーザとＲＦＩＤデータキャリアのキャリア識別情報とを関連づける登録作業を自動化すること。【解決手段】  ユーザにより携行され、近傍のＲＦＩＤから非接触で該ＲＦＩＤの識別情報を読み取るＲＦＩＤ通信部３６を備えた携帯電話３０であって、前記読み取られた識別情報について、読み取られた回数を計数し、該計数された回数に応じて、前記読み取られた識別情報の中から少なくとも１つのキャリア識別情報を選出し、前記ユーザに関連付けるユーザ関連付け部３１１と、を含むことを特徴とする携帯電話３０。【選択図】        図２
2006236155.tif 000002
【特許請求の範囲】
【請求項１】
ユーザにより携行され、データキャリアから非接触で該データキャリアを識別するキャリア識別情報を読み取るキャリア識別情報読み取り手段を備えた識別情報読取装置であって、
前記キャリア識別情報読み取り手段により読み取られたキャリア識別情報について、前記キャリア識別情報読み取り手段による読み取り回数を計数する読み取り回数計数手段と、
前記読み取り回数計数手段により計数された回数に応じて前記キャリア識別情報読み取り手段により読み取られたキャリア識別情報の中から少なくとも１つのキャリア識別情報を選出し、前記ユーザに関連付けるユーザ関連付け手段と、
を含むことを特徴とする識別情報読取装置。
【請求項２】
請求項１に記載の識別情報読取装置において、
前記データキャリアのうちの少なくとも一部について、運搬され、又は着用されるデータキャリアであるとして記憶する記憶手段、
をさらに含み、
前記ユーザ関連付け手段は、前記読み取り回数計数手段により計数された回数に応じて、前記キャリア識別情報読み取り手段により読み取られたキャリア識別情報であって、前記記憶手段により、運搬され、又は着用されるデータキャリアであるとして記憶されるデータキャリアを識別するキャリア識別情報の中から少なくとも１つのキャリア識別情報を選出する、
ことを特徴とする識別情報読取装置。
【請求項３】
請求項１又は２に記載の識別情報読取装置において、
前記ユーザ関連付け手段により前記ユーザと関連付けられるキャリア識別情報に基づいて選択される情報を取得する情報取得手段と、
前記情報取得手段により取得される前記情報を出力する情報出力手段と、
をさらに含むことを特徴とする識別情報読取装置。
【請求項４】
請求項１又は２に記載の識別情報読取装置において、
前記ユーザ関連付け手段により前記ユーザと関連付けられるキャリア識別情報を他の装置に送信する情報送信手段、
をさらに含むことを特徴とする識別情報読取装置。
【請求項５】
請求項１乃至４のいずれか１項に記載の識別情報読取装置において、
一又は複数のキャリア識別情報を記憶するキャリア識別情報記憶手段をさらに含み、
前記ユーザ関連付け手段は、前記キャリア識別情報読み取り手段により前記キャリア識別情報記憶手段に記憶される前記一又は複数のキャリア識別情報が読み取られた場合に、前記選出を行わない、
ことを特徴とする識別情報読取装置。
【請求項６】
請求項５に記載の識別情報読取装置において、
前記記憶手段は、前記データキャリアのうちの少なくとも一部について、固定されているデータキャリアであるとして記憶し、
前記読み取り回数計数手段により計数された回数に応じて、前記情報読み取り手段により読み取られたキャリア識別情報であって、前記記憶手段により、固定されているデータキャリアであるとして記憶されるデータキャリアを識別するキャリア識別情報の中から少なくとも１つのキャリア識別情報を選出し、前記ユーザの家に関連付ける家関連付け手段、をさらに含み、
前記キャリア識別情報記憶手段により記憶されるキャリア識別情報は、前記家関連付け手段により前記ユーザの家に関連付けられたキャリア識別情報である、
ことを特徴とする識別情報読取装置。
【請求項７】
請求項１乃至４のいずれか１項に記載の識別情報読取装置において、
当該識別情報読取装置の移動速度を取得する移動速度取得手段と、
前記ユーザ関連付け手段は、前記移動速度が所定速度以上の場合に、前記選出を行わない、
ことを特徴とする識別情報読取装置。
【請求項８】
請求項１乃至７のいずれかに記載の識別情報読取装置において、
前記読み取り回数計数手段は、前記キャリア識別情報読み取り手段により読み取られたキャリア識別情報について、該キャリア識別情報読み取り手段によって連続して読み取られた回数を計数する、
ことを特徴とする識別情報読取装置。
【請求項９】
識別情報読取装置と、データベース装置と、情報提供装置と、を含む情報提供システムにおいて、
前記識別情報読取装置は、
ユーザにより携行され、データキャリアから非接触で該データキャリアを識別するキャリア識別情報を読み取るキャリア識別情報読み取り手段を備えた識別情報読取装置であって、
前記キャリア識別情報読み取り手段により読み取られたキャリア識別情報について、前記キャリア識別情報読み取り手段による読み取り回数を計数する読み取り回数計数手段と、
前記読み取り回数計数手段により計数された回数に応じて前記キャリア識別情報読み取り手段により読み取られたキャリア識別情報の中から少なくとも１つのキャリア識別情報を選出し、前記ユーザに関連付けるユーザ関連付け手段と、
前記ユーザ関連付け手段により関連付けられるキャリア識別情報を前記データベース装置に送信する情報送信手段、
を含み、
前記データベース装置は、
前記情報送信手段により送信されたキャリア識別情報を、前記ユーザと対応付けて記憶するキャリア識別情報記憶手段、
を含み、
前記情報提供装置は、
データキャリアから非接触で該データキャリアを識別する少なくとも１つのキャリア識別情報を読み取るキャリア識別情報読み取り手段と、
前記読み取ったキャリア識別情報に、前記キャリア識別情報記憶手段においてユーザと対応付けて記憶されるキャリア識別情報が含まれている場合に、該ユーザに関する所定の情報提供処理を行う情報提供手段と、
を含む、
ことを特徴とする情報提供システム。
【発明の詳細な説明】
【技術分野】
【０００１】
本発明は識別情報読取装置、及び情報提供システムに関する。
【背景技術】
【０００２】
近年、ＲＦＩＤ（Radio Frequency Identification）技術を利用してユーザに情報提供する技術が注目されている。下記特許文献１にはその一例が記載されている。この文献に記載された情報提供システムでは、ＲＦＩＤデータキャリア（ＲＦＩＤタグ）を識別するためのキャリア識別情報と、ユーザを識別するためのユーザ識別情報と、を情報提供装置側で対応付けて予め記憶するようになっており、情報提供装置は、ＲＦＩＤデータキャリアがその近傍にきたときに該ＲＦＩＤデータキャリアのキャリア識別情報を読み取り、読み取ったキャリア識別情報と対応付けて記憶されるユーザ識別情報に基づく情報提供を行うようになっている。
【特許文献１】特開２００４−３６２４８９号公報
【発明の開示】
【発明が解決しようとする課題】
【０００３】
しかしながら、上記従来のサービス情報提供システムでは、人手によってユーザ識別情報とＲＦＩＤデータキャリアのキャリア識別情報とを関連づける登録作業を予め行う必要があり、この登録作業は煩雑なものになっていた。
【０００４】
本発明は上記課題を解決するためになされたもので、その目的の一つは、ユーザとＲＦＩＤデータキャリアのキャリア識別情報とを関連づける登録作業を自動化することができる識別情報読取装置、及び情報提供システムを提供することにある。
【課題を解決するための手段】
【０００５】
上記課題を解決するための本発明に係る識別情報読取装置は、ユーザにより携行され、データキャリアから非接触で該データキャリアを識別するキャリア識別情報を読み取るキャリア識別情報読み取り手段を備えた識別情報読取装置であって、前記キャリア識別情報読み取り手段により読み取られたキャリア識別情報について、前記キャリア識別情報読み取り手段による読み取り回数を計数する読み取り回数計数手段と、前記読み取り回数計数手段により計数された回数に応じて前記キャリア識別情報読み取り手段により読み取られたキャリア識別情報の中から少なくとも１つのキャリア識別情報を選出し、前記ユーザに関連付けるユーザ関連付け手段と、を含むことを特徴とする。
【０００６】
本発明によれば、ユーザが識別情報読取装置を携行し、特定のデータキャリアから何度もキャリア識別情報を読み取れば、そのキャリア識別情報をユーザと関連付けられるようになる。このため、ユーザとＲＦＩＤデータキャリアのキャリア識別情報とを関連づける登録作業を自動化することができるようになる。
【０００７】
また、上記識別情報読取装置において、前記データキャリアのうちの少なくとも一部について、運搬され、又は着用されるデータキャリアであるとして記憶する記憶手段、をさらに含み、前記ユーザ関連付け手段は、前記読み取り回数計数手段により計数された回数に応じて、前記キャリア識別情報読み取り手段により読み取られたキャリア識別情報であって、前記記憶手段により、運搬され、又は着用されるデータキャリアであるとして記憶されるデータキャリアを識別するキャリア識別情報の中から少なくとも１つのキャリア識別情報を選出する、こととしてもよい。
【０００８】
また、上記識別情報読取装置において、前記ユーザ関連付け手段により前記ユーザと関連付けられるキャリア識別情報に基づいて選択される情報を取得する情報取得手段と、前記情報取得手段により取得される前記情報を出力する情報出力手段と、をさらに含むこととしてもよいし、前記ユーザ関連付け手段により前記ユーザと関連付けられるキャリア識別情報を他の装置に送信する情報送信手段、をさらに含むこととしてもよい。
【０００９】
このようにすることにより、ユーザと関連付けられるキャリア識別情報に基づいて情報提供を行うことが可能になる。すなわち、識別情報読取装置は、ユーザと関連付けたキャリア識別情報に基づいて選択された情報を取得し、出力することができるので、ユーザは自分に固有の情報を得ることができる。また、他の装置にて、識別情報読取装置によりユーザと関連付けられたキャリア識別情報を用いた各種処理を実行することができる。
【００１０】
また、上記識別情報読取装置において、一又は複数のキャリア識別情報を記憶するキャリア識別情報記憶手段をさらに含み、前記ユーザ関連付け手段は、前記キャリア識別情報読み取り手段により前記キャリア識別情報記憶手段に記憶される前記一又は複数のキャリア識別情報が読み取られた場合に、前記選出を行わない、こととしてもよい。
【００１１】
ユーザの自宅に固定的に設置された物は、該ユーザに携行される可能性が低く、そこに付されたデータキャリアに記憶されたキャリア識別情報は該ユーザのユーザ関連キャリア識別情報としての適格性に乏しい。また、職場や通勤電車などの公共の場所に設置された物は、そこに付されたデータキャリアに記憶されたキャリア識別情報が識別情報読取装置によって何度も読み取られたとしても、ユーザに携行されるものとは評価できない。本発明によれば、このような物に付されたデータキャリアに記憶されるキャリア識別情報を予め記憶しておき、そのキャリア識別情報についてはユーザと関連付けないようにできるので、不適当なキャリア識別情報がユーザと関連付けられる事態を防止できる。
【００１２】
なお、上記識別情報読取装置において、前記記憶手段は、前記データキャリアのうちの少なくとも一部について、固定されているデータキャリアであるとして記憶し、前記読み取り回数計数手段により計数された回数に応じて、前記情報読み取り手段により読み取られたキャリア識別情報であって、前記記憶手段により、固定されているデータキャリアであるとして記憶されるデータキャリアを識別するキャリア識別情報の中から少なくとも１つのキャリア識別情報を選出し、前記ユーザの家に関連付ける家関連付け手段、をさらに含み、前記キャリア識別情報記憶手段により記憶されるキャリア識別情報は、前記家関連付け手段により前記ユーザの家に関連付けられたキャリア識別情報である、こととしてもよい。
【００１３】
このようにすることにより、キャリア識別情報として選出されることが不適当な識別情報として、ユーザの家に関連するキャリア識別情報を記憶しておくことができる。
【００１４】
また、上記識別情報読取装置において、当該識別情報読取装置の移動速度を取得する移動速度取得手段と、前記ユーザ関連付け手段は、前記移動速度が所定速度以上の場合に、前記選出を行わない、こととしてもよい。
【００１５】
通勤電車などの混雑した場所で識別情報読取装置によって何度も読み取られたキャリア識別情報は他の人の携行する物に取り付けられている可能性が高く、ユーザに携行されるもののキャリア識別情報と判断するには難がある。本発明によれば、ユーザが移動中であるか否かを判断し、移動中に読み取られたキャリア識別情報についてはユーザと関連付けないようにできるので、不適当なキャリア識別情報がユーザと関連付けられる事態を防止できる。
【００１６】
また、上記識別情報読取装置において、前記読み取り回数計数手段は、前記キャリア識別情報読み取り手段により読み取られたキャリア識別情報について、該キャリア識別情報読み取り手段によって連続して読み取られた回数を計数する、こととしてもよい。
【００１７】
ユーザと関連付けられうるキャリア識別情報を記憶するデータキャリアが付された物は、ユーザにより携行され、そのデータキャリアからキャリア識別情報が連続的に読み取られる筈である。本発明によれば、キャリア識別情報読み取り手段によって連続して読み取られた回数を計数するようにできるので、ユーザと関連付けるのにふさわしいキャリア識別情報を選出することができる。
【００１８】
また、本発明に係る情報提供システムは、識別情報読取装置と、データベース装置と、情報提供装置と、を含む情報提供システムにおいて、前記識別情報読取装置は、ユーザにより携行され、データキャリアから非接触で該データキャリアを識別するキャリア識別情報を読み取るキャリア識別情報読み取り手段を備えた識別情報読取装置であって、前記キャリア識別情報読み取り手段により読み取られたキャリア識別情報について、前記キャリア識別情報読み取り手段による読み取り回数を計数する読み取り回数計数手段と、前記読み取り回数計数手段により計数された回数に応じて前記キャリア識別情報読み取り手段により読み取られたキャリア識別情報の中から少なくとも１つのキャリア識別情報を選出し、前記ユーザに関連付けるユーザ関連付け手段と、前記ユーザ関連付け手段により関連付けられるキャリア識別情報を前記データベース装置に送信する情報送信手段、を含み、前記データベース装置は、前記情報送信手段により送信されたキャリア識別情報を、前記ユーザと対応付けて記憶するキャリア識別情報記憶手段、を含み、前記情報提供装置は、データキャリアから非接触で該データキャリアを識別する少なくとも１つのキャリア識別情報を読み取るキャリア識別情報読み取り手段と、前記読み取ったキャリア識別情報に、前記キャリア識別情報記憶手段においてユーザと対応付けて記憶されるキャリア識別情報が含まれている場合に、該ユーザに関する所定の情報提供処理を行う情報提供手段と、を含む、ことを特徴とする。
【００１９】
このようにすることにより、データベース装置ではユーザとキャリア識別情報を対応付けて記憶することができ、情報提供装置では、自身が読み取ったキャリア識別情報に対応するユーザに関する所定の情報提供処理を行うことができる。
【発明を実施するための最良の形態】
【００２０】
本発明の実施の形態について、図面を参照しながら説明する。
【００２１】
図１は本実施の形態に係る情報提供システム１０のシステム構成図である。同図に示すように、情報提供システム１０は複数のＲＦＩＤ２０と、携帯電話３０と、データベース装置４０と、情報提供装置５０と、を含んで構成されている。
【００２２】
ＲＦＩＤ２０は、データを記憶することができるデータキャリアとして機能する装置であり、移動する物体や固定される物体に取り付けられる。また、ＲＦＩＤ２０は後述するＲＦＩＤリーダによって、非接触でその記憶しているデータを読み取られることができるように構成されている。より具体的には、ＲＦＩＤリーダの発する電磁場を、記憶しているデータに応じて変調することにより読み取られるように構成してもよい（パッシブ型、セミパッシブ型）し、ＲＦＩＤリーダの発する電波が受信された場合に、記憶しているデータに応じた電波を送信することにより読み取られるように構成してもよい（アクティブ型）。
【００２３】
また、各ＲＦＩＤ２０には複数のＲＦＩＤ２０の中から該ＲＦＩＤ２０を一意に識別可能な識別情報（キャリア識別情報２１）が付与されており、各ＲＦＩＤ２０は自身に付与されたキャリア識別情報２１を上記記憶データの一部として記憶している。
【００２４】
携帯電話３０は、制御部３１、記憶部３２、ネットワーク通信部３３、ＲＦＩＤ通信部３６を含んで構成される。
【００２５】
制御部３１は記憶部３２に記憶されるプログラムを実行するための処理ユニットを備え、携帯電話３０の各部を制御する。また、後述するユーザ関連付け処理、乗車中判断処理、家関連付け処理などの各種処理を行う。
【００２６】
ネットワーク通信部３３は、アンテナを含み、移動体通信システムにおける基地局装置と通信可能に構成される。制御部３１は、ネットワーク通信部３３を介して所定の情報の送受信を行うことにより、データベース装置４０及び情報提供装置５０との間で通信を行う。
【００２７】
記憶部３２は、本実施の形態を実施するためのプログラムを記憶している。また、制御部３１のワークメモリとして機能する。さらに記憶部３２は、ユーザごとに別途付与された識別情報（ユーザ識別情報２２）を記憶している。
【００２８】
ＲＦＩＤ通信部３６は、近傍（ＲＦＩＤ通信部３６とＲＦＩＤ２０との間で電波の送受信ができる範囲）にあるＲＦＩＤ２０に対して電波を送信することにより、該ＲＦＩＤ２０に記憶されるデータを読み取る。図１の例では、ＲＦＩＤ通信部３６は、近傍にあるＲＦＩＤ２０−１とＲＦＩＤ２０−２に記憶されるデータを読み取ることができ、近傍にないＲＦＩＤ２０−３とＲＦＩＤ２０−４に記憶されるデータを読み取ることはできない。ＲＦＩＤ通信部３６は、読み取ったデータを制御部３１に対して出力する。
【００２９】
このように、携帯電話３０は、ＲＦＩＤ２０に記憶されるデータを読み取ることができるＲＦＩＤリーダとして構成される。より具体的には、ＲＦＩＤ２０に対して読み取り用信号を送信し、該読み取り用信号に対して返送されるデータ信号を受信する。このデータ信号はＲＦＩＤ２０が記憶しているデータを含んでおり、携帯電話３０は、該データ信号からＲＦＩＤ２０に記憶されるデータを取得している。なお、上述のようにＲＦＩＤ２０にはキャリア識別情報２１が記憶されており、データ信号に含まれる該キャリア識別情報２１を取得することにより、携帯電話３０は識別情報読取装置としても機能する。
【００３０】
データベース装置４０は、制御部４１と、記憶部４２と、ネットワーク通信部４３と、を含んで構成される。
【００３１】
制御部４１は記憶部４２に記憶されるプログラムを実行するための処理ユニットを備え、データベース装置４０の各部を制御する。
【００３２】
ネットワーク通信部４３は、複数の通信システムに接続され、該通信システムに接続される他の装置との間で通信可能に構成される。この通信システムのうちの１つは移動体通信システムであり、ネットワーク通信部４３はアンテナを含み、移動体通信システムにおける基地局装置と通信可能に構成される。制御部４１は、ネットワーク通信部４３を介して所定の情報の送受信を行うことにより、携帯電話３０及び情報提供装置５０との間で通信を行う。
【００３３】
記憶部４２は、本実施の形態を実施するためのプログラムを記憶している。また、制御部４１のワークメモリとして機能する。さらに記憶部４２は、ユーザ識別情報２２とキャリア識別情報２１とを対応付けて記憶している。すなわちキャリア識別情報２１は、記憶部４２において、ユーザ識別情報２２によって識別されるユーザと関連付けて記憶される。
【００３４】
このようにユーザと関連付けられるキャリア識別情報２１は、ユーザごとに選出される。この選出処理では、ユーザが常に携行しているＲＦＩＤ２０のキャリア識別情報２１が、ユーザに関連するキャリア識別情報２１として選出される。より具体的には、ユーザが常に携行する携帯電話３０において実行されるユーザ関連付け処理（後述）において連続して何度も取得されたキャリア識別情報２１のうちから、ユーザに関連するキャリア識別情報２１が選出される。
【００３５】
なお、実際には情報提供システム１０には複数の携帯電話３０が含まれており、各携帯電話３０は、それぞれのユーザによって携行される。制御部４１は、ネットワーク通信部４３を介して、各ユーザについて上記のようにして選出されたキャリア識別情報２１を各ユーザの携帯電話３０から受信し、各ユーザのユーザ識別情報２２と対応付けて記憶部４２に記憶している。
【００３６】
情報提供装置５０は、制御部５１と、記憶部５２と、ネットワーク通信部５３と、ＲＦＩＤ通信部５６と、を含んで構成される。なお、図１ではデータベース装置４０と情報提供装置５０が別体の装置であるとして記載しているが、一体の装置であってもよい。
【００３７】
制御部５１は記憶部５２に記憶されるプログラムを実行するための処理ユニットを備え、情報提供装置５０の各部を制御する。
【００３８】
記憶部５２は、本実施の形態を実施するためのプログラムを記憶している。また、制御部５１のワークメモリとして機能する。さらに記憶部５２は、ユーザ識別情報２２と提供情報２３とを対応付けて記憶している。提供情報２３は、ユーザ識別情報２２によって識別されるユーザに関連して提供される情報である。具体的には、ユーザ識別情報２２によって識別されるユーザに対して提供される情報であってもよいし、ユーザ識別情報２２によって識別されるユーザに関する情報を他者に提供するための情報であってもよい。
【００３９】
ネットワーク通信部５３は、複数の通信システムに接続され、該通信システムに接続される他の装置との間で通信可能に構成される。この通信システムのうちの１つは移動体通信システムであり、ネットワーク通信部５３はアンテナを含み、移動体通信システムにおける基地局装置と通信可能に構成される。制御部５１は、ネットワーク通信部５３を介して所定の情報の送受信を行うことにより、携帯電話３０及びデータベース装置４０との間で通信を行う。
【００４０】
ＲＦＩＤ通信部５６は、近傍（ＲＦＩＤ通信部５６とＲＦＩＤ２０との間で電波の送受信ができる範囲）にあるＲＦＩＤ２０に対して電波を送信することにより、該ＲＦＩＤ２０に記憶されるデータを読み取る。そして、読み取ったデータを制御部５１に対して出力する。
【００４１】
このように、情報提供装置５０も、ＲＦＩＤ２０に記憶されるデータを読み取ることができるＲＦＩＤリーダとして構成される。より具体的には、ＲＦＩＤ２０に対して読み取り用信号を送信し、該読み取り用信号に対して返送されるデータ信号を受信する。このデータ信号はＲＦＩＤ２０が記憶しているデータを含んでおり、情報提供装置５０は、該データ信号からＲＦＩＤ２０に記憶されるデータを取得している。なお、上述のようにＲＦＩＤ２０にはキャリア識別情報２１が記憶されており、データ信号に含まれる該キャリア識別情報２１を取得することにより、情報提供装置５０は識別情報読取装置としても機能する。
【００４２】
なお、ここではＲＦＩＤ通信部５６は情報提供装置５０の一部であるとしているが、単体の装置として構成され、情報提供装置５０に含まれる他の部分とは通信線で接続されているようになっていることも多い。
【００４３】
ここで、情報提供装置５０とデータベース装置４０とによって行われる情報提供処理について説明する。
【００４４】
制御部５１は、ネットワーク通信部５３を介して、ＲＦＩＤ通信部５６が取得したデータに含まれるキャリア識別情報２１をデータベース装置４０に対して送信する。
【００４５】
制御部４１は、ネットワーク通信部４３を介して、情報提供装置５０から送信されたキャリア識別情報２１を受信する。そして制御部４１は、受信したキャリア識別情報２１と対応付けて記憶しているユーザ識別情報２２を記憶部４２から読み出し、情報提供装置５０に対して返送する。
【００４６】
制御部５１は、このようにして返送されたユーザ識別情報２２に対応付けて記憶される提供情報２３を記憶部５２から読み出す。すなわち制御部５１は、ユーザ識別情報２２を利用して、ＲＦＩＤ通信部５６が取得したデータに含まれるキャリア識別情報２１に基づいて提供情報２３を選択している。そして制御部５１は、携帯電話３０やその他の装置（不図示）に選択した提供情報２３を提供することにより、ユーザに関連して提供するための提供情報２３を提供する。言い換えれば、情報提供装置５０はこのように各ユーザに関する所定の情報提供処理を行うことで、携帯電話３０やその他の装置に該各ユーザに関する提供情報２３を取得させている。
【００４７】
携帯電話３０の機能の詳細について説明する。図２は携帯電話３０の機能ブロックを示す機能ブロック図である。
【００４８】
携帯電話３０は、図２に示されるように、上述の制御部３１、記憶部３２、ネットワーク通信部３３、ＲＦＩＤ通信部３６の他に、入出力部３４、ＧＰＳ受信部３５をも含んで構成される。さらに、制御部３１は、キャリア識別情報取得部３１０、ユーザ関連付け部３１１、家関連付け部３１２、リーダ位置取得部３１３、乗車中判断部３１４、提供情報取得部３１５を含んで構成される。
【００４９】
上述のように、ＲＦＩＤ２０は移動する物体や固定される物体に取り付けられて使用される。記憶部３２では、ＲＦＩＤ２０の取り付けられるものをより詳細に分類し、図３の分類記憶テーブルに示すように、ＲＦＩＤ２０ごとに、そのキャリア識別情報２１と対応付けて、人が運搬するようなもの（例えば鞄や携帯電話）に取り付けられるもの（可搬ＩＤ）、人が着用するようなもの（例えば腕時計や靴）に取り付けられるもの（着用ＩＤ）、自走する車両のようなものに取り付けられるもの（移動ＩＤ）、固定されているが動かすことが容易なもの（例えばバス停標識や店先のワゴン）に取り付けられるもの（準固定ＩＤ）、固定されたもの（例えば家や道路標識）に取り付けられるもの（固定ＩＤ）に分類して記憶している。この分類は、予め決定され、記憶部３２に記憶されている。
【００５０】
また、記憶部３２は、他にも図４に示す仮ユーザ関連付けテーブル、図５に示す仮乗車キャリア識別情報テーブル、図６に示す取得キャリア識別情報テーブル、図７に示す家関連付けテーブルを記憶する。これらの詳細については後述する。さらに記憶部３２は、当該携帯電話３０のユーザを識別するための上記ユーザ識別情報２２を記憶している。
【００５１】
入出力部３４は、携帯電話３０のユーザとのヒューマンマシンインターフェイスである。具体的には、キーパッド、マイク、スピーカなどを使用することができる。制御部３１は、入出力部３４を介してユーザの入力を受け付けることともに、ユーザに対して情報を出力する。
【００５２】
ＧＰＳ受信部３５は、ＧＰＳ受信機を含んで構成され、複数のＧＰＳ衛星からの電波を受信し、携帯電話３０の地球上の位置、すなわち緯度経度を算出する。そしてＧＰＳ受信部３５は、、算出した携帯電話３０の位置を示す位置情報を制御部３１に対して出力する。
【００５３】
以下、携帯電話３０の機能の詳細について説明する。携帯電話３０をユーザが携行する場合、ＲＦＩＤ通信部３６はその人がいる場所の近傍（ＲＦＩＤ通信部３６とＲＦＩＤ２０との間で電波の送受信ができる範囲）にあるＲＦＩＤ２０に記憶されるデータを定期的に読み取る。ところで人間は、それぞれ好みのもの（例えば腕時計や鞄）を外出中常に身につけたり所持したりしている。そしてこれらにはＲＦＩＤ２０が取り付けられる。このため、人間が外出しているとき、該人間の携行する携帯電話３０のＲＦＩＤ通信部３６は、該人間が身につけたり所持したりしているものに取り付けられるＲＦＩＤ２０を常に読み取ることになる。同様に、人間が家にいるときには、ＲＦＩＤ通信部３６は家に取り付けられたＲＦＩＤ２０を読み取ることになる。また、人間が外出しているときには、ＲＦＩＤ通信部３６は道程上の様々なものに取り付けられたＲＦＩＤ２０を読み取ることになる。ＲＦＩＤ通信部３６はこれらの読み取ったデータをキャリア識別情報取得部３１０に対して出力する。
【００５４】
キャリア識別情報取得部３１０は、入力されたデータから各ＲＦＩＤ２０のキャリア識別情報を取得し、ユーザ関連付け部３１１、家関連付け部３１２、及び乗車中判断部３１４に対して出力する。
【００５５】
提供情報取得部３１５は、ネットワーク通信部３３を介して、情報提供装置５０が送信する提供情報２３を取得する。そして受信した提供情報２３を記憶部３２に記憶したり、入出力部３４を介してユーザに通知したり、といった処理を行う。なお、情報提供装置５０が他の装置に対して提供情報２３を送信した場合には、該他の装置は、自身のユーザに対して該提供情報２３を通知するなど、該提供情報２３に応じた所定の処理を行う。
【００５６】
本実施の形態では、携帯電話３０は、自身のユーザに関連するＲＦＩＤ２０を選出する。具体的には、外出中常にユーザが身につけたり所持したりしているものに取り付けられるＲＦＩＤ２０を選出する。このようなＲＦＩＤ２０は、図１に示すＲＦＩＤ２０−１のように常に携帯電話３０の近傍にあるので、上述のように、常にＲＦＩＤ通信部３６によって読み取られる。
【００５７】
ユーザ関連付け部３１１は、このようにＲＦＩＤ通信部３６によって常に読み取られているＲＦＩＤ２０の中から、所定条件を満たすもののキャリア識別情報２１を選出し、ユーザと関連付けるためのユーザ関連付け処理を行う。より具体的には、ユーザが外出中に読み取られたものであって、かつ車両乗車中に読み取られたものでないＲＦＩＤ２０のキャリア識別情報２１を、ユーザと関連付ける。
【００５８】
また、ユーザ関連付け部３１１は、ユーザと関連付けたキャリア識別情報２１を、記憶部３２に記憶されるユーザ識別情報２２とともに、ネットワーク通信部３３を介してデータベース装置４０に対して送信する。
【００５９】
家関連付け部３１２は、ユーザが外出中であるか否かを判断するために、ユーザの家に取り付けられたＲＦＩＤ２０のキャリア識別情報２１をユーザの家と関連付けるための家関連付け処理を行う。この家関連付け処理では、後に詳述するように、固定ＩＤや準固定ＩＤとして記憶されるＲＦＩＤ２０のキャリア識別情報２１のうち、連続して何度も読み取られたものの中から、ユーザの家に関連付けるキャリア識別情報２１が選出される。このようにすることにより携帯電話３０は、ユーザの家に関連付けられたキャリア識別情報２１が取得されている間は外出中ではないと判断することができる。なお、ここでいう「家」は、ユーザが長居をする場所を指す概念である。
【００６０】
また、乗車中判断部３１４は、分類記憶テーブルに移動ＩＤとして記憶されるＲＦＩＤ２０が読み取られている間にリーダ位置取得部３１３において取得されるユーザの位置の変化に基づいて、ユーザが車両乗車中であるか否かを判断するための乗車中判断処理を行う。
【００６１】
以下では、以上の各処理について、処理のフロー図を参照しながら詳細に説明する。
【００６２】
図８及び図９は、ユーザ関連付け処理のフローを示す図である。図８に示すように、ユーザ関連付け部３１１はまず、確認タイマーの満了を待って、次の処理に進む（Ｓ１００）。このように確認タイマーの満了を待つ処理を入れることにより、定期的に以下の処理が行われる。確認タイマー満了後、ユーザ関連付け部３１１は、キャリア識別情報取得部３１０が現時点で取得しているＲＦＩＤ２０のキャリア識別情報２１を取得する（Ｓ１０１）。そして、取得したキャリア識別情報２１の中に、家関連付けテーブルに記憶されるキャリア識別情報２１が含まれているか判断する（Ｓ１０２）。家関連付けテーブルは、家関連付け処理においてユーザの家と関連付けられたキャリア識別情報２１を記憶するテーブルである。
【００６３】
Ｓ１０２の判断結果が否定である場合、ユーザ関連付け部３１１はユーザが乗車中か否かを判断する（Ｓ１０３）。このための乗車中判断処理については、後に詳述する。乗車中であると判断した場合には、Ｓ１０４からＳ１０６の処理を行わず、処理の終了を判断する（Ｓ１０７）。すなわちユーザ関連付け部３１１は、ユーザが乗車中であると判断した場合には、キャリア識別情報２１をユーザと関連付けるために選出することを制限する。より具体的には、選出することを行わない。
【００６４】
なお、処理の終了の判断とは、ユーザ関連付け部３１１がユーザ関連付け処理を行うことを終了するか否かの判断であり、終了しない場合、新たに確認タイマーの満了を待ってユーザ関連付け処理を繰り返す。終了する場合には、確認タイマーを停止し、処理を終了する。
【００６５】
一方、Ｓ１０３において乗車中でないと判断した場合、ユーザ関連付け部３１１は、移動中であった回数を示す変数「移動中回数」に１を加算する（Ｓ１０４）。変数「移動中回数」の記憶領域が確保されていなければ新たに確保する。
【００６６】
そしてユーザ関連付け部３１１は、仮ユーザ関連付けテーブルに記憶されるキャリア識別情報２１のうち、Ｓ１０１において取得されなかったものを削除する（Ｓ１０５）。仮ユーザ関連付けテーブルは、ユーザに関連するキャリア識別情報２１である可能性があるとされたキャリア識別情報２１を仮に記憶しておくもので、各キャリア識別情報２１は、移動中に連続して取得された回数を示す移動中連続取得回数と対応付けて記憶される。
【００６７】
次にユーザ関連付け部３１１は、Ｓ１０１において取得されたキャリア識別情報２１のうち、分類記憶テーブルにおいて可搬ＩＤ又は着用ＩＤとして記憶されるＲＦＩＤ２０のキャリア識別情報２１を仮ユーザ関連付けテーブルに記憶するとともに、移動中連続取得回数に１を加算する（Ｓ１０６）。このようにしてユーザ関連付け部３１１は、各キャリア識別情報２１についてＲＦＩＤ通信部３６が読み取った回数（読み取り回数）を計数して記憶する。
【００６８】
以上のＳ１０４からＳ１０６の処理が終了すると、ユーザ関連付け部３１１は処理の終了を判断する（Ｓ１０７）。
【００６９】
Ｓ１０２の判断結果が肯定である場合、ユーザ関連付け部３１１は、Ｓ１０６の処理を行わない。すなわちユーザ関連付け部３１１は、ユーザの家に関連付けて記憶されるキャリア識別情報２１が取得されていると判断した場合には、キャリア識別情報２１をユーザと関連付けるために選出することを制限する。より具体的には、選出することを行わない。そして、ユーザの家と関連付けられるキャリア識別情報２１であって、前回と同じものが取得されているか否かを判断する（Ｓ１０８）。このために、ユーザ関連付け部３１１は、確認タイマーによる繰り返し処理の１サイクル前の処理で取得したキャリア識別情報２１であって、Ｓ１０２の処理で家関連付けテーブルに記憶されるキャリア識別情報２１であると判断されたキャリア識別情報２１を保持しておく。
【００７０】
そして、Ｓ１０８の判断が否定であれば、引き続き、Ｓ１０９の処理を行う。Ｓ１０９の処理の詳細については後述する。一方、Ｓ１０８の判断が肯定であれば、取得されたキャリア識別情報２１のうち、分類記憶テーブルに可搬ＩＤ又は着用ＩＤとして記憶されるＲＦＩＤ２０のキャリア識別情報２１を仮ユーザ関連付けテーブルに記憶するとともに、移動中連続取得回数を０にする（Ｓ１１０）。Ｓ１０９の処理又はＳ１１０の処理が終了すると、ユーザ関連付け部３１１は処理の終了を判断する（Ｓ１０７）。
【００７１】
図９は、Ｓ１０９における処理を示している。Ｓ１０９における処理は、仮ユーザ関連付けテーブルに記憶されるキャリア識別情報２１の中から、ユーザに関連するキャリア識別情報２１を選出するための処理である。この処理は、仮ユーザ関連付けテーブルに記憶される各キャリア識別情報２１についてそれぞれ行われる処理である（Ｓ１５０、Ｓ１５５）。まず、ユーザ関連付け部３１１は変数「頻度」の記憶領域を確保し、キャリア識別情報２１と対応付けて仮ユーザ関連付けテーブルに記憶される移動中連続取得回数を変数「移動中回数」で除算したものを代入する（Ｓ１５１）。そして、変数「頻度」の値が第１所定値以上であるか否かを判断する（Ｓ１５２）。すなわち、移動中に該キャリア識別情報２１が検出された割合が第１所定値で表される所定閾値以上であるか否かを判断する。
【００７２】
Ｓ１５２の判断結果が否定であれば、次のキャリア識別情報２１に処理を移し（Ｓ１５５）、Ｓ１５２の判断結果が肯定であれば、次に移動中連続取得回数が第２所定値以上であるか否かを判断する（Ｓ１５３）。すなわち、そもそも第２所定値で示される閾回数以上取得されていたか否かを判断する。
【００７３】
なお、例えば第２所定値は、変数「移動中回数」に上記第１所定値を乗算してなる値であってもよいし、変数「移動中回数」に依らず予め定められた値であってもよい。
【００７４】
Ｓ１５３の判断結果も肯定であった場合、ユーザ関連付け部３１１は、そのキャリア識別情報２１をユーザに関連するキャリア識別情報２１として選出し、ユーザと関連付ける（Ｓ１５４）。そして、次のキャリア識別情報２１に処理を移す（Ｓ１５５）。
【００７５】
以上説明したようにして、ユーザ関連付け部３１１は分類記憶テーブルに可搬ＩＤ又は着用ＩＤとして記憶される複数のＲＦＩＤ２０が記憶しているキャリア識別情報２１のうちから、各キャリア識別情報２１が取得された回数に応じて、ユーザに関連するキャリア識別情報２１を選出している。
【００７６】
次に、家関連付け処理を説明する。図１０は家関連付け処理のフロー図である。同図に示すように、家関連付け部３１２はまず、確認タイマーの満了を待って、次の処理に進む（Ｓ２００）。このように確認タイマーの満了を待つ処理を入れることにより、定期的に以下の処理が行われる。確認タイマー満了後、家関連付け部３１２は、キャリア識別情報取得部３１０が現時点で取得しているＲＦＩＤ２０のキャリア識別情報２１を取得する（Ｓ２０１）。そして、図６に示す取得キャリア識別情報テーブルに記憶させる。取得キャリア識別情報テーブルはここで取得されたキャリア識別情報２１について、取得回数とともに記憶しているテーブルである。
【００７７】
次に家関連付け部３１２は、取得キャリア識別情報テーブルに既に記憶されていたキャリア識別情報２１のうち、Ｓ２０１の処理により取得されていないものについて、取得回数に０．５を乗算し、小数点以下を切り捨てる処理を行う（Ｓ２０２）。そして、取得キャリア識別情報テーブルに記憶されるキャリア識別情報２１のうち、取得回数が０となっているものを該テーブルから削除する（Ｓ２０３）。
【００７８】
家関連付け部３１２はまた、取得キャリア識別情報テーブルに記憶されるキャリア識別情報２１のうち、Ｓ２０１の処理により取得されたものについて、取得回数を１インクリメントする（Ｓ２０４）。さらに、取得キャリア識別情報テーブルに記憶されるキャリア識別情報２１のうち、取得回数が所定の閾値を上回っているものをユーザの家に関連するキャリア識別情報２１として選出し、図７に示す家関連付けテーブルに記憶させることによりユーザの家と関連付ける（Ｓ２０５）。
【００７９】
なお、家関連付け部３１２は、取得したキャリア識別情報２１のうち、分類記憶テーブルに固定ＩＤ又は準固定ＩＤとして記憶されるＲＦＩＤ２０のキャリア識別情報２１であって、取得キャリア識別情報テーブルに記憶されていないものを、取得キャリア識別情報テーブルに追加記憶するとともに、取得回数に１を記憶する（Ｓ２０６）。このようにすることにより、固定ＩＤ又は準固定ＩＤとして記憶されるＲＦＩＤ２０のキャリア識別情報２１のみをユーザの家に関連するキャリア識別情報２１として選出するようにしている。
【００８０】
以上説明したようにして、家関連付け部３１２は分類記憶テーブルに固定ＩＤ又は準固定ＩＤとして記憶される複数のＲＦＩＤ２０が記憶しているキャリア識別情報２１のうちから、各キャリア識別情報２１が取得された回数に応じて、ユーザの家に関連するキャリア識別情報２１を選出している。
【００８１】
次に、乗車中判断処理を説明する。図１１は乗車中判断処理のフロー図である。同図に示すように、乗車中判断部３１４はまず、監視タイマーを起動させる（Ｓ４００）。そして、監視タイマーの満了を待って、次の処理に進む（Ｓ４０１）。このように監視タイマーを起動し、その満了を待つ処理を入れることにより、監視タイマーの起動時点から周期的に以下の処理が行われる。監視タイマー満了後、乗車中判断部３１４は、キャリア識別情報取得部３１０が現時点で取得しているＲＦＩＤ２０のキャリア識別情報２１を取得する（Ｓ４０２）。このとき乗車中判断部３１４は、リーダ位置取得部３１３から携帯電話３０の現在位置を示す位置情報を取得し、変数「現位置」に代入する（Ｓ４０３）。そして、変数「前位置」から変数「現位置」を除算したものを、監視タイマーの起動から満了までの時間で除算することにより、速度を算出する（Ｓ４０４）。なお、変数「前位置」には、Ｓ４０５の処理において、この変数「現位置」の内容が代入される。つまり乗車中判断部３１４は、この処理を行う都度、変数「現位置」の内容を変数「前位置」に代入して記憶している。このようにすることにより、Ｓ４０４において算出される速度は、変数「前位置」により示される位置から変数「現位置」により示される位置に移動するまでの携帯電話３０の平均速度を示している。
【００８２】
そして乗車中判断部３１４は、Ｓ４０２において取得されたキャリア識別情報２１のうち、分類記憶テーブルに移動ＩＤとして記憶されるＲＦＩＤ２０のキャリア識別情報２１を、図５に示す仮乗車キャリア識別情報テーブルに記憶する（Ｓ４０６）。仮乗車キャリア識別情報テーブルは乗車中判断のために、分類記憶テーブルに移動ＩＤとして記憶されるＲＦＩＤ２０のキャリア識別情報２１を仮に記憶しておくもので、各キャリア識別情報２１は、連続して取得された回数を示す移動ＩＤ連続取得回数と、該移動ＩＤが取得されているときにＳ４０４において算出される速度のうち最大のものを示す最大速度情報と、に対応付けて記憶される。このために乗車中判断部３１４は、各キャリア識別情報２１が連続して取得された回数を取得し、移動ＩＤ連続取得回数として記憶する（Ｓ４０６）。
【００８３】
次に乗車中判断部３１４は、仮乗車キャリア識別情報テーブルに各キャリア識別情報２１と対応付けて記憶される最大速度情報と、Ｓ４０４で算出した速度と、を比較し、大きい方を最大速度情報として仮乗車キャリア識別情報テーブルに記憶させる（Ｓ４０７）。このようにして乗車中判断部３１４は、各キャリア識別情報２１の最大速度情報を、より大きいものに更新していく。
【００８４】
また乗車中判断部３１４は、仮乗車キャリア識別情報テーブルに記憶されるキャリア識別情報２１のうち、Ｓ４０２で取得されなかったキャリア識別情報２１を削除する（Ｓ４０８）。このようにすることにより、連続して取得されなかったキャリア識別情報２１を削除し、移動ＩＤとして記憶されるＲＦＩＤ２０とともに携帯電話３０が移動している場合にのみ、該ＲＦＩＤ２０のキャリア識別情報２１を記憶するようにしている。
【００８５】
次に乗車中判断部３１４は、仮乗車キャリア識別情報テーブルにキャリア識別情報２１が１つ以上記憶されているか否かを判断する（Ｓ４０９）。記憶されている場合、さらに、記憶されているキャリア識別情報２１に対応付けて記憶される最大速度情報により示される速度が所定閾値以上となっているものがあるか否かを判断する（Ｓ４１０）。そして所定閾値以上のものがあれば、乗車中であると判断し（Ｓ４１２）、所定閾値以上のものがなかったり、仮乗車キャリア識別情報テーブルにキャリア識別情報２１が記憶されていなかったりした場合、乗車中でないと判断する（Ｓ４１１）。このようにして乗車中判断部３１４は、移動ＩＤとして記憶されるＲＦＩＤ２０のキャリア識別情報２１が取得されていない場合は車両に乗っていないと判断し、移動ＩＤとして記憶されるＲＦＩＤ２０のキャリア識別情報２１が取得されていても、最大速度情報により示される速度が所定閾値以上のものがなければ、少なくとも所定閾値により示される速度以上に速いスピードで移動する車両には乗っていないと判断している。
【００８６】
以上の処理が終了すると、乗車中判断部３１４は、処理の終了を判断する（Ｓ４１３）。処理の終了の判断とは、乗車中判断部３１４が乗車中判断処理を行うことを終了するか否かの判断であり、終了しない場合、新たに確認タイマーの満了を待って乗車中判断処理を繰り返す。終了する場合には、確認タイマーを停止し（Ｓ４１４）、処理を終了する。
【００８７】
以上のようにすることにより、ユーザが携帯電話３０を携行し、特定のＲＦＩＤ２０から何度もキャリア識別情報を読み取れば、そのキャリア識別情報２１をユーザに関連するキャリア識別情報２１として選出できるようになり、ユーザとＲＦＩＤ２０のキャリア識別情報２１とを関連づける登録作業を自動化することができるようになる。また、ユーザと関連付けられるキャリア識別情報２１に基づいて、ユーザに関する情報提供を行うことが可能になる。すなわち、携帯電話３０は、ユーザと関連付けたキャリア識別情報２１に基づいて選択された情報を取得し、出力することができるので、ユーザは自分に固有の情報を得ることができる。また、情報提供装置５０にて、携帯電話３０によりユーザと関連付けられたキャリア識別情報２１を用いた各種処理を実行することができる。
【００８８】
さらに、家に付されたＲＦＩＤ２０に記憶されるキャリア識別情報２１を予め記憶しておき、そのキャリア識別情報２１についてはユーザと関連付けないようにできるので、ユーザと関連付けることが不適当なキャリア識別情報２１がユーザと関連付けられる事態を防止できる。
【００８９】
また、ユーザが移動中であるか否かを判断し、移動中に読み取られたキャリア識別情報２１についてはユーザと関連付けないようにできるので、ユーザと関連付けることが不適当なキャリア識別情報２１がユーザと関連付けられる事態を防止できる。
【００９０】
また、キャリア識別情報取得部３１０によって、移動中に所定回数以上連続して取得されたキャリア識別情報２１であって、乗車中にのみ取得されたのではないキャリア識別情報２１を、ユーザと関連付けることができるようになる。
【図面の簡単な説明】
【００９１】
【図１】本発明の実施の形態に係る情報提供システムのシステム構成図である。
【図２】本発明の実施の形態に係る携帯電話の機能ブロック図である。
【図３】本発明の実施の形態に係る分類記憶テーブルを示す図である。
【図４】本発明の実施の形態に係る仮ユーザ関連付けテーブルを示す図である。
【図５】本発明の実施の形態に係る仮乗車キャリア識別情報テーブルを示す図である。
【図６】本発明の実施の形態に係る取得キャリア識別情報テーブルを示す図である。
【図７】本発明の実施の形態に係る家関連付けテーブルを示す図である。
【図８】本発明の実施の形態に係る処理フロー図である。
【図９】本発明の実施の形態に係る処理フロー図である。
【図１０】本発明の実施の形態に係る処理フロー図である。
【図１１】本発明の実施の形態に係る処理フロー図である。
【符号の説明】
【００９２】
１０  情報提供システム、２０  ＲＦＩＤ、２１  キャリア識別情報、２２  ユーザ識別情報、２３  提供情報、３０  携帯電話、３１，４１，５１  制御部、３２，４２，５２  記憶部、３３，４３，５３  ネットワーク通信部、３４  入出力部、３５  ＧＰＳ受信部、３６，５６  ＲＦＩＤ通信部、４０  データベース装置、５０  情報提供装置、３１０  キャリア識別情報取得部、３１１  ユーザ関連付け部、３１２  家関連付け部、３１３  リーダ位置取得部、３１４  乗車中判断部、３１５  提供情報取得部。
【図１】
2006236155.tif 000003
【図２】
2006236155.tif 000004
【図３】
2006236155.tif 000005
【図４】
2006236155.tif 000006
【図５】
2006236155.tif 000007
【図６】
2006236155.tif 000008
【図７】
2006236155.tif 000009
【図８】
2006236155.tif 000010
【図９】
2006236155.tif 000011
【図１０】
2006236155.tif 000012
【図１１】
2006236155.tif 000013